(57)【要約】【課題】  密着状態においては商品価値を下げることなく、分別作業の際にはスリーブラベルを容易に剥がすことができるようにする。【解決手段】  その表面に凸部２が形成された容器本体１と、該容器本体１の凸部２を、無端帯状の端縁部４が凸部２の表面に沿って跨るよう、容器本体１に密着されるスリーブラベル３とから構成する。【選択図】図１
2008239219.tif 000002
【特許請求の範囲】
【請求項１】
その表面に凸部（２）が形成された容器本体（１）と、該容器本体（１）の凸部（２）を無端帯状の端縁部（４）が凸部（２）の表面に沿って跨るよう、容器本体（１）に密着されるスリーブラベル（３）とから構成されることを特徴とする分別収集用樹脂製容器。
【請求項２】
上記スリーブラベル（３）は、容器本体（１）の凸部（２）によって膨出された端縁部（５）上の任意の点を起点として、その幅方向に沿ってラベル本体を破断できる破断手段（６）が設けられてなることを特徴とする請求項１に記載の分別収集用樹脂製容器。
【発明の詳細な説明】
【技術分野】
【０００１】
本発明は、シュリンクラベルやストレッチラベルなどのスリーブラベルが密着された分別収集用樹脂製容器に関する。
【背景技術】
【０００２】
一般に、樹脂製容器には、飲料水や化粧水などが収容されており、これら内容物の商品名や性能などが印刷されたラベルが容器本体の周面に貼着されている。ところで、最近では、ごみの分別収集が行われることが多く、容器本体を捨てる際には、ラベルを剥がした状態にして捨てることが要望されている。
【０００３】
そして、分別作業を容易に行えるよう、容器本体に凹部を形成し、該凹部を跨るよう熱収縮性又は伸縮性を有するスリーブラベルを密着させたものが市販されており、凹部の壁面とスリーブラベルの裏面との隙間を利用してスリーブラベルを剥がしやすくしている。
【０００４】
また他の従来例としては、樹脂製容器の周面に形成された凹部の前方に、ラベルに形成された切り込みが位置するよう、ラベルを樹脂製容器の周面に捲回し、切り込みによって切り離された部位を内側に押し込んで、樹脂製容器の凹部に係止させるものも公知になっている（特許文献１）。
【特許文献１】特開２０００−３５５３２９号公報
【発明の開示】
【発明が解決しようとする課題】
【０００５】
しかしながら、上記いずれの場合も、容器本体にラベルが固着された状態において、凹部とラベルの隙間、又は凹部に埃が溜まって、不潔な印象を与えてしまい、商品価値を下げてしまうという問題がある。
【０００６】
そこで、本発明は、上記問題点を鑑み、商品価値を下げることなく、容易にラベルを剥がすことができる分別収集用樹脂製容器を提供することを目的とする。
【課題を解決するための手段】
【０００７】
前記課題を解決するために、本発明に係る分別収集用樹脂製容器は、その表面に凸部２が形成された容器本体１と、該容器本体１の凸部２を無端帯状の端縁部が凸部２の表面に沿って跨るよう、容器本体１に密着されるスリーブラベル３とから構成されることを特徴とする。
【０００８】
この場合、容器本体１の凸部２を内側に押し込んで凹部を形成し、該凹部の壁面とスリーブラベル３の裏面との隙間に指を引っ掛けることで、スリーブラベル３を剥がしやすくしている。
【０００９】
また本発明によれば、上記スリーブラベル３は、容器本体１の凸部２によって膨出された端縁部５上の任意の点を起点として、その幅方向に沿ってラベル本体を破断できる破断手段６を設けるような構成を採用することができる。
【００１０】
この場合、スリーブラベル３の端縁部上の任意の点は、スリーブラベル３を剥がす際に引き方向（スリーブラベル３の幅方向）の力が作用しやすくてスリーブラベル３を破断しやすい起点と成り得るため、この任意の点を破断の起点にしてラベル本体を幅方向に沿って破断できる破断手段６を設けるようにすればスリーブラベル３を剥がしやすくなる。なお破断手段６としては、例えば切り目（ミシン目）などを形成するようにしてもよく、ハーフカットやカットテープを設けるようにしてもよい。要するに、破断手段６は、スリーブラベル３を容易に破断できる加工であれば何でもよい。
【発明の効果】
【００１１】
以上のように、本発明によれば、その端縁部が容器本体の凸部の表面に沿って該凸部を跨るよう、スリーブラベルを容器本体に密着するようにしたので、従来のように、埃が溜まりやすい凹部がなく、商品価値を落とすこともない。一方、スリーブラベルと樹脂製容器とを分別作業する際は、容器本体の凸部を内側へ押し込むことで、押し込まれた凸部の壁面とスリーブラベルとの間に隙間が形成されるようになり、その隙間を利用してスリーブラベルを容易に剥がすことができ、分別作業の作業性を向上させる効果がある。
【発明を実施するための最良の形態】
【００１２】
以下、本発明の一実施形態に係る分別収集用樹脂製容器について、添付図面を参照しつつ説明する。
【００１３】
まず、本実施形態に係る分別収集用樹脂製容器は、図１に示すように、胴部の上部周面に径外方向に半球形状の凸部２が複数形成された容器本体１と、その端縁部が該各凸部２の円弧面に沿うよう、容器本体１に密着された熱収縮性を有するスリーブラベルとしての無端帯状のシュリンクラベル３とから構成されている。
【００１４】
凸部２は、図２（ｂ）に示すように、所定の押圧力で内側方向に押し込み可能な肉厚に形成されており、この押し込みによってシュリンクラベル３との間に隙間が形成されるようになる。この隙間に指を引っ掛ける等すれば、シュリンクラベル３を容器本体１から容易に剥がせるようになる。
【００１５】
シュリンクラベル３は、図２（ａ）に示すように、その幅寸法が容器本体１の胴部の幅寸法よりもやや小さくて、その上側端縁部４が、各凸部２の表面に沿って跨るよう、即ち容器本体１の各凸部２の１／２の曲面部位に密着しており、この密着部位が膨出された端縁部、即ち膨出部５になっている。
【００１６】
そして、シュリンクラベル３は、シュリンクラベル（ラベル本体）３を幅方向に沿って破断するための破断手段が設けられており、該破断手段は、該各膨出部５の円弧線の終端点、即ち円弧線と上側端縁部４とが交差する点を起点にして幅方向に沿って切り目（ミシン目）６が形成されている。
【００１７】
つぎに分別収集用樹脂製容器の製造方法について説明する。容器本体１の胴部の外側を無端帯状のシュリンクラベル３が囲繞するよう、容器本体１にシュリンクラベル３を環装し、容器本体１の各凸部２に対してシュリンクラベル３の上側端縁部４が跨るような位置にシュリンクラベル３を位置固定し、シュリンクラベル３全体を加熱して熱収縮させて密着させる。
【００１８】
なお、前記実施形態の場合、複数の凸部２を周面の径外方向に形成するようにしたが、一つであってもよい。また凸部２の突出方向は径外方向でなくてもよく、形成される箇所も上部周面に限定されるものではなく、中央部周面又は下部周面のいずれであってもよい。要は、スリーブラベルの上側又は下側の端縁部が凸部２の表面に沿って凸部２を跨るよう密着すればよい。
【００１９】
また、前記実施形態の場合、スリーブラベルとして、シュリンクラベルを例にとって説明したが、ストレッチラベルであってもよい。
【図面の簡単な説明】
【００２０】
【図１】本発明の一実施形態に係る分別収集用樹脂製容器の斜視図である。
【図２】（ａ）、（ｂ）は分別収集用樹脂製容器からシュリンクラベルを剥がす状態の説明図である。
【符号の説明】
【００２１】
１…容器本体、２…凸部、３…シュリンクラベル、４…上側端縁部、５…膨出部、６…切り目
【図１】
2008239219.tif 000003
【図２】
2008239219.tif 000004